(57)【要約】  【課題】  構造強度が大きく且つ狭い空間に設置できるマンホール蓋の施錠装置を提供することにある。  【課題を解決するための手段】  受け枠１に開閉可能に取り付けたマンホール蓋２の鍵取付孔３内に筒状体４を設置し、施錠時に前記筒状体と係合して抜き取り不能とする前記筒状体の内部上方に設置したシリンダ錠６と、施錠時に前記受け枠と係合して前記マンホール蓋の開放を不能とする前記シリンダ錠の下方に設置した施錠手段とからなり、該施錠手段が、前記筒状体の周壁の直径方向に貫通する横貫通溝孔８と、該横貫通溝孔内に移動自在となるように挿入した錠爪部材９と、該錠爪部材を前記横貫通溝孔に沿って直線移動させる駆動機構とを備え、前記シリンダ錠を開錠して抜き取った後、開閉操作治具を使用して前記駆動機構を駆動することで前記錠爪部材を引っ込め、その先端部９Ａと前記受け枠との係合を外して解錠する。  【選択図】  図４
2006169740.tif 000002
【特許請求の範囲】
【請求項１】
受け枠の開口部に開閉自在となるように設置したマンホール蓋の施錠装置であって、該
マンホール蓋の鍵取付孔内に装着した筒状体と、施錠時に前記筒状体と係合して抜き取り
不能とする前記筒状体の内部上方に設置したシリンダ錠と、施錠時に前記受け枠と係合し
て前記マンホール蓋の開放を不能とする前記シリンダ錠の下方に設置した施錠手段とから
なり、該施錠手段が、前記筒状体の周壁の直径方向に貫通する横貫通溝穴と、該横貫通溝
穴内に移動自在となるように挿入した錠爪部材と、該錠爪部材を前記横貫通溝穴に沿って
直線移動させる駆動機構とを備え、前記シリンダ錠を開錠して抜き取った後、開閉操作治
具を使用して前記駆動機構を駆動することで前記錠爪部材を引っ込め、その先端部と前記
受け枠との係合を外して解錠する構成としたことを特徴とするマンホール蓋の施錠装置。
【請求項２】
前記錠爪部材は平面視が長方形の盤状ブロックであって、その幅方向中央に長手方向に
延びる長穴を備えるとゝもに、該長穴の直線部のほゞ中央において幅方向に延びる係合用
凹溝を裏面側に設けた構成とし、前記駆動機構は、前記錠爪部材の長穴内に上方から挿入
したガイド軸と、前記錠爪部材の下方に配設した前記ガイド軸と一体に連結したピン軸と
から構成され、該ピン軸を前記ガイド軸を介して開閉操作治具で回転することで、ピン軸
の頭部に立設する係合ピンと前記錠爪部材の裏面側に形成した前記係合用凹溝との係合に
より前記錠爪部材を前記長穴に沿って直線移動させ、その先端部と前記受け枠との係合及
びその係合を解く構成としたことを特徴とする請求項１記載のマンホール蓋の施錠装置。
【請求項３】
前記錠爪部材をスプリングにより上方へ付勢するとゝもに、施錠位置で前記横貫通溝孔
の開口部下端縁とそれぞれ係合する嵌合用凹部を前記錠爪部材の上面に所定間隔をおいて
形成したことを特徴とする請求項１又は２記載のマンホール蓋の施錠装置。
【発明の詳細な説明】
【技術分野】
【０００１】
本発明は、電話ケーブルや光通信ケーブル，ガス管，水道管等を埋設する地下共同溝の
マンホールに開閉可能に取り付けたマンホール蓋の施錠装置に関する。
【背景技術】
【０００２】
電話ケーブルや光通信ケーブル等が埋設されている地下共同溝には保守点検のために人
が出入りするためのマンホールが所定間隔毎に設けられており、このマンホールの地表開
口部にはマンホール蓋が開閉可能に取り付けられている。そして、このマンホール蓋には
悪戯，盗難，破壊行為などから守るため、鍵によってのみ開錠できるようにしたマンホー
ル蓋の施錠装置が設置されている。
【０００３】
この施錠装置としては、例えば図８に示すように、受け枠５０に対し開閉可能に設置し
たマンホール蓋５１の鍵取付孔内に筒状体５２を装着し、該筒状体５２の内部上方には専
用の鍵で開錠して抜き取り可能としたシリンダ錠５３を、その下方部には開閉治具によっ
て回動可能とした作動軸５４をそれぞれ設置するとゝもに、該作動軸５４に一端を固定し
た係止片５５の先端部５５Ａを前記筒状体５２の側壁に形成した円周方向の案内溝５６を
通して外方へ突出させ、前記受け枠５０に形成した係止受部５０Ａと前記係止片５５の先
端部５５Ａと係合させることで、前記マンホール蓋５１を受け枠５０に対し施錠する構成
としている。
【０００４】
そして、前記マンホール蓋の施錠装置を解錠する場合には、筒状体５２の内部上方に設
置したシリンダ錠５３を専用の鍵で解錠して筒状体５２から抜き取り、上方から挿入した
開閉治具の先端部を前記作動軸５４の凹部５４Ａに差し込み、該作動軸５４を９０°回転
して前記係止片５５を案内溝５６に沿って円周方向に回動させることで、前記受け枠５０
に形成した前記係止受部５０Ａと前記係止片の先端部５５Ａとの係合を外し、前記マンホ
ール蓋５１を受け枠５０に対して開放する構成としたものである。
【０００５】
【特許文献１】実開昭６２ー２６４５７号公報
【特許文献２】特開平１１ー１０７３０４号公報
【特許文献３】特開２００１ー１４０５２０号公報
【特許文献４】特開２００４ー６８５９４号公報
【特許文献４】特開２００４ー１９０２６１号公報
【発明の開示】
【発明が解決しようとする課題】
【０００６】
上記のように従来の施錠装置はそのいづれもが、作動軸５４に係止片５５の一端が固定
されており、該係止片５５の先端部５５Ａは前記筒状体５２の側壁に形成した円周方向の
案内溝５６を通して外方へ突出させる構成とした点（第１の構成点）、前記係止片５５は
前記作動軸５４をほゞ９０°回転させることで案内溝５６に沿って円周方向に回動させる
構成とした点（第２の構成点）、前記係止片５５が回転移動する案内溝５６は筒状体５２
の全周のほゞ１／３の長さである構成とした点（第３の構成点）をその特徴としている。
【０００７】
そのため、従来の施錠装置には、前記第１の構成点から、係止片５５の先端部５５Ａに
不当な外力が作用した場合、例えば係止片５５が解錠位置まで完全に回動変位する前にマ
ンホール蓋５１を無理に持ち上げたような場合、係止片５５の先端部５５Ａが前記受け枠
５０に形成した係止受部５０Ａと衝当し、先端部５５Ａに下方向への力が作用する。その
結果、この外力は係止片５５の固定基部及び前記作動軸５４にそれぞれ作用し、係止片５
５が固定基部の部分で又は作動軸５４に曲げ変形などが発生し、係止片５５及び作動軸５
４の円滑な回転に支障を来すといった問題点がある。
【０００８】
また、前記第２の構成点から、前記係止片５５は前記作動軸５４を回転中心軸としてほ
ゞ９０°回転するので、前記筒状体５２の外側には、前記係止片５５の先端部５５Ａが筒
状体５２から突出する長さで且つその回転移動する領域以上の空間が必要となり、狭いス
ペースには設置できないといった問題点がある。
【０００９】
更に、前記第３の構成点から、筒状体５２に形成した案内溝５６の円周方向の長さは筒
状体５２の全周のほゞ１／３の長さを必要とする。そのため、筒状体５２は構造的に強度
が弱くなり、外部から受ける衝撃により筒状体５２は案内溝５６の部分で軸方向に圧潰さ
れ、以後の係止片５５の円滑な回転に支障が発生するといった問題点がある。本発明は、
上記のような前記第１乃至第３の構成点から派生する諸問題点を解決したマンホール蓋の
施錠装置を提供することを目的としたものである。
【課題を解決するための手段】
【００１０】
上記の目的を達成するために、本願の第１発明に係るマンホール蓋の施錠装置は、受け
枠の開口部に開閉自在となるように設置したマンホール蓋の施錠装置であって、該マンホ
ール蓋の鍵取付孔内に装着した筒状体と、施錠時に前記筒状体と係合して抜き取り不能と
する前記筒状体の内部上方に設置したシリンダ錠と、施錠時に前記受け枠と係合して前記
マンホール蓋の開放を不能とする前記シリンダ錠の下方に設置した施錠手段とからなり、
該施錠手段が、前記筒状体の周壁の直径方向に貫通する横貫通溝穴と、該横貫通溝穴内に
移動自在となるように挿入した錠爪部材と、該錠爪部材を前記横貫通溝穴に沿って直線移
動させる駆動機構とを備え、前記シリンダ錠を開錠して抜き取った後、開閉操作治具を使
用して前記駆動機構を駆動することで前記錠爪部材を引っ込め、その先端部と前記受け枠
との係合を外して解錠する構成としたことを特徴とするものである。
【００１１】
また、本願の第２発明は、前記錠爪部材は平面視が長方形の盤状ブロックであって、そ
の幅方向中央に長手方向に延びる長穴を備えるとゝもに、該長穴の直線部のほゞ中央にお
いて幅方向に延びる係合用凹溝を裏面側に設けた構成とし、前記駆動機構は、前記錠爪部
材の長穴内に上方から挿入したガイド軸と、前記錠爪部材の下方に配設した前記ガイド軸
と一体に連結したピン軸とから構成され、該ピン軸を前記ガイド軸を介して開閉操作治具
で回転することで、ピン軸の頭部に立設する係合ピンと前記錠爪部材の裏面側に形成した
前記係合用凹溝との係合により前記錠爪部材を前記長穴に沿って直線移動させ、その先端
部と前記受け枠との係合及びその係合を解く構成としたことを特徴とするものである。
【００１２】
そして更に、本願の第３の発明は、前記第１又は第２の発明において、前記錠爪部材を
スプリングにより上方へ付勢するとゝもに、施錠位置で前記横貫通溝孔の開口部下端縁と
それぞれ係合する嵌合用凹部を前記錠爪部材の上面に所定間隔をおいて形成したことを特
徴とするものである。
【発明の効果】
【００１３】
上記第１の課題解決手段により、解錠作業工程において、錠爪部材の先端部が前記受け
枠との係合が外れない状態においてマンホール蓋を無理に持ち上げた結果、錠爪部材の先
端部に不当な外力がかかった場合でも、この外力は錠爪部材が移動自在となるように挿入
した前記筒状体の周壁の直径方向に貫通する横貫通溝孔の両開口部下端縁で受けることに
なる。したがって、前記錠爪部材及び該錠爪部材を前記横貫通溝孔に沿って直線移動させ
る駆動機構に悪影響を与えることがない。
【００１４】
また、上記第２の課題解決手段により、錠爪部材は筒状体の内部を直径方向に移動する
直線移動であるので、筒状体の外側に突出しており且つこの突出した状態で回転移動する
従来の回転式の施錠装置と比較して、施錠装置全体の小型化が図られるとゝもに、広いス
ペースを必要としない。更に、上記第３の課題解決手段により、上記の効果に加えて、施
錠位置及び解錠位置において錠爪部材が不用意に移動することがないとゝもに、特に施錠
位置における錠爪部材の位置決めが確実に行える。
【発明を実施するための最良の形態】
【００１５】
以下、本発明に係るマンホール蓋の施錠装置を図１乃至図７に示す実施形態により詳細
に説明する。図において、１はマンホールの地表開口部に設置した受け枠で、該受け枠１
の開口部にはマンホール蓋２が枢着部２Ａにより開閉可能となるように枢着されている。
３はマンホール蓋２の前記枢着部２Ａと対向する他端側に穿設した鍵取付孔で、上下方向
に貫通しており、該鍵取付孔３の内壁には環状の段部３Ａが形成されている。
【００１６】
４は前記鍵取付孔３内に上端開口部から挿入した筒状体で、該筒状体４の上部外周に設
けた鍔４Ａの下面が前記段部３Ａの上面で支持されている。更に、この筒状体４は、前記
鍔４Ａの下部にあって前記筒状体４の外周のねじに螺合した転がり軸受け用ロックナット
５を回動し、その上面に設置した転がり軸受け用座金５Ａを介して前記鍵取付孔３の下端
開口部の周縁を締め付けることでマンホール蓋２に固定されており、該筒状体４の下方部
はマンホール蓋２の下面２Ｂから下方へ突出した状態で装着されている。
【００１７】
６は前記筒状体４の内部上方に設置した従来型のシリンダ錠で、専用の鍵（図示せず）
によりシリンダ駆動軸６Ａを介しその下端に固定したシリンダカム６Ｂを回動せしめるこ
とで、該シリンダカム６Ｂと前記筒状体４の内方に突出せしめて装着したピン７との係合
を外し、前記筒状体４の上端開口部からシリンダ錠６を抜き取ることができるように構成
している。８は前記筒状体４の下方部周壁に形成した横貫通溝孔で、前記筒状体４の直径
方向に貫通している。
【００１８】
９は前記横貫通溝孔８内に移動自在となるよう挿入した錠爪部材で、平面視が長方形の
盤状ブロック体からなる構成のものであり、該錠爪部材９の幅方向中央には長手方向に延
びた長孔１０が形成され、この錠爪部材９の上面には前記長穴１０の両端の円弧部の外側
にあって幅方向に延びた左右一対の嵌合用凹溝１１，１１が、下面には前記長孔１０の直
線部のほゞ中央位置にあって該長穴１０と一方の側端面に開口する係合用凹溝１２がそれ
ぞれ形成されている。
【００１９】
１３は前記錠爪部材９の長穴１０内に挿入したガイド軸で、その軸部１３ａの下端に矩
形状先端部１３ｂを備えるとともにその下端から中心にねじ孔１３ｃが、また前記軸部１
３ａの上端に設けた頭部１３ｄの上面にはＴ字ハンドルレンチＫの先端と同一形状とした
四角の凹部１３ｅがそれぞれ形成されている。
【００２０】
１４は前記錠爪部材９の裏面側にあって前記ガイド軸１３の軸部１３ａと矩形状先端部
１３ｂで連結したピン軸で、該ピン軸１４の軸部１４ａの上端に設けた頭部１４ｄの上面
には前記矩形状先端部１３ｂと嵌合する矩形状凹部１４ｂが、更に前記軸部１４ａの中心
にはその下端から前記矩形状凹部１４ｂまで貫通する段付貫通孔１４ｃがそれぞれ形成さ
れている。
【００２１】
そして、この段付貫通孔１４ｃ内に軸部１４ａの下端からボルト１５を挿入し、前記ガ
イド軸１３のねじ孔１３ｃに螺合せしめた前記ボルト１５を締め付けることで、このピン
軸１４と前記ガイド軸１３とを一体に連結するとゝもに、前記ピン軸１４の頭部１４ｄ上
面にあって、ピン軸１４の軸心から外れた位置に起立せしめた駆動ピン１４ｅを、前記錠
爪部材９の下面に形成した前記係合用凹溝１２内に位置せしめてなる構成としている。な
お、前記ガイド軸１３とピン軸１４との間に設置された前記錠爪部材９は移動自在となる
ように配設されている。
【００２２】
１６は前記筒状体４の下端開口部にねじ結合により設置した底蓋で、その中心部に形成
した貫通孔１６ａ内に前記ピン軸１４の軸部１４ａが遊嵌しており、前記底蓋１６の上面
と前記ピン軸１４の頭部１４ｄ下面との間に介在せしめたコイルスプリング１７により、
横貫通溝孔８内に挿入した前記錠爪部材９をピン軸１４を介して上方へ付勢している。な
お、図中１８は前記筒状体４の上端開口部にバッキン１９を介して装着した内蓋で、ねじ
嵌合により水密的に装着されており、２０は前記内蓋１８の外側に装着した外蓋である。
【００２３】
そして、この外蓋２０は前記内蓋１８に対し回転自在となるよう且つ分離不可能となる
ように装着されており、該外蓋２０の中央に形成した四角の貫通孔２０Ａと前記内蓋１８
の中央に形成した四角の凹部１８Ａとは同一形状としたものである。
【００２４】
次に、上記構成からなるマンホール蓋の施錠装置の作用を説明する。図１，図２及び図
４は施錠された状態を示す。すなわち、マンホール蓋２の鍵取付孔３に装着された筒状体
４の上端開口部は前記外蓋２０，内蓋１８で閉塞されている。そして、前記筒状体４の内
部上方に設置したシリンダ錠６にあって、そのシリンダカム６Ｂは前記筒状体４の内方に
突出せしめて装着したピン７と係合する位置にあるので、前記筒状体４の上端開口部から
シリンダ錠６を抜き取ることができず、施錠（第１の施錠）された状態となっている。
【００２５】
さらに、前記シリンダ錠６の下方部にあって、前記横貫通溝孔８内に挿入された錠爪部
材９は、その上面に形成した左右一対の嵌合用凹溝１１，１１内に前記横貫通溝孔８の開
口部の上端縁８ａ，８ａがそれぞれ嵌合しており、前記コイルスプリング１７の付勢によ
りこの位置に位置決めされた錠爪部材９の先端部９Ａは前記受け枠１の蓋受け段部１Ａ下
面と係合する位置にある。したがって、マンホール蓋２を開くことができず、施錠（第２
の施錠）された状態となっている。
【００２６】
上記図１，図２及び図４に示す施錠された状態から解錠する場合には、先ず、前記外蓋
２０を手で回転させ、その中央に形成した四角の貫通孔２０Ａと前記内蓋１８の中央に形
成した四角の凹部１８Ａとを合わせた後、Ｔ字ハンドルレンチＫの先端を差し込んでハン
ドルを左回り（反時計方向）に回転させて緩め、外蓋２０と内蓋１８を筒状体４の上端開
口部から同時に取り外す。
【００２７】
次に、前記筒状体４の内部上方に設置したシリンダ錠６の鍵穴に専用鍵を差し込み、シ
リンダ駆動軸６Ａを介しその下端に固定したシリンダカム６Ｂを左回り（反時計方向）に
９０°回転させることで、該シリンダカム６Ｂと前記筒状体４の内方に突出せしめて装着
したピン７との係合が外れて解錠される。この状態で専用鍵を持ち上げるることでシリン
ダ錠前６も一緒に持ち上がるので、前記筒状体４の上端開口部からシリンダ錠６を抜き取
る（第１の解錠）。
【００２８】
シリンダ錠６を抜き取ると、前記筒状体４内にガイド軸１３の頭部１３ｄが露出するの
で、図５に示すように、ガイド軸１３の頭部１３ｄ上面に形成した四角の凹部１３ｅにＴ
字ハンドルレンチＫの先端を差し込み、下方向に押し込む。この押し込み力により、前記
ガイド軸１３，錠爪部材９，ピン軸１４はコイルスプリング１７の付勢に抗して下方へ一
緒に移動し、前記錠爪部材９の上面に形成した左右一対の嵌合用凹溝１１，１１と前記横
貫通溝孔８の開口部上端縁８ａ，８ａとの係合が外れる。
【００２９】
前記錠爪部材９の嵌合用凹溝１１，１１と前記横貫通溝孔８の開口部上端縁８ａ，８ａ
との係合が外れた際の、ガイド軸１３の軸部１３ａ，錠爪部材９及び係合用凹溝１２，ピ
ン軸１４の駆動ピン１４ｅとの関係を示したのが図７である。同図の（１）は、錠爪部材
９の上面に形成した左右一対の嵌合用凹溝１１，１１と前記横貫通溝孔８の開口部上端縁
８ａ，８ａとの係合が外れた状態であり、この状態でハンドルＫを右回り（時計回り）に
９０°回転することにより、同図（２）を経て同図（３）の状態となり、錠爪部材９は図
５に示すように、一点鎖線で示す状態から横貫通溝孔８内を左方向に移動して実線で示す
状態となって解錠される（第２の解錠）。
【００３０】
すなわち、図７において、ガイド軸１３を右回り（時計回り）に回転することでピン軸
１４も同方向に回転する。そして、該ピン軸１４の駆動ピン１４ｅも同方向に回転するの
で、該駆動ピン１４ｅが入っている前記錠爪部材９の係合用凹溝１２の側壁１２ａを左方
向へ押圧する。この押圧力により、図７（１）に示す状態から同図（２）に示すように、
前記錠爪部材９はガイド軸１３の軸部１３ａを案内軸として長穴１０に沿って左方向に移
動する。
【００３１】
そして、最終的に、ハンドルＫを右回り（時計回り）に９０°回転することにより同図
（２）を経て同図（３）に示す状態、すなわち、前記錠爪部材９の先端部９Ａが図２の一
点鎖線及び図５の実線でそれぞれ示す位置まで引っ込み、蓋受け段部１Ａとの係合が外れ
ることで解錠状態となる。なお、施錠状態にする場合は、前記解錠方法と手順を逆に行え
ばよい。
【図面の簡単な説明】
【００３２】
【図１】本発明に係る施錠装置を備えたマンホール蓋を受け枠に取り付けた状態の          斜視図である。
【図２】本発明の要部の拡大断面図である。
【図３】施錠装置を分解した全体の斜視図である。
【図４】施錠した状態の断面図である。
【図５】解錠時の作用説明断面図である。
【図６】施錠装置の要部を示す一部を切り欠いた分解斜視図である。
【図７】解錠時の作用説明図である。
【図８】従来の施錠装置の断面図である。
【符号の説明】
【００３３】
１  受け枠
１Ａ  蓋受け段部
２  マンホール蓋
２Ａ  枢着部
３  鍵取付孔
３Ａ  段部
４  筒状体
４Ａ  鍔
５  ロックナット
６  シリンダ錠
６Ａ  シリンダ駆動軸
６Ｂ  シリンダカム
７  ピン
８  横貫通溝孔
８ａ  開口部上端縁
９  錠爪部材
１０  長穴
１１  嵌合用凹溝
１２  係合用凹溝
１３  ガイド軸
１３ａ  軸部
１３ｂ  矩形上先端部
１３ｄ  頭部
１３ｅ  凹部
１４  ピン軸
１４ａ  軸部
１４ｂ  矩形状凹部
１４ｄ  頭部
１４ｅ  駆動ピン
１５  ボルト
１６  底蓋
１６ａ  貫通孔
１７  コイルスプリング
１８  内蓋
１８Ａ  凹部
２０  外蓋
２０Ａ  貫通孔
【図１】
2006169740.tif 000003
【図２】
2006169740.tif 000004
【図３】
2006169740.tif 000005
【図４】
2006169740.tif 000006
【図５】
2006169740.tif 000007
【図６】
2006169740.tif 000008
【図７】
2006169740.tif 000009
【図８】
2006169740.tif 000010